(57)【要約】【課題】露光現像させたいフィルムの中央部分を平らな状態でカメラの焦点距離の基準面上に緊着させることができるカメラのフィルムゲートを提供する。【解決手段】  フィルムゲートの構造であり、アパーチャ１と、圧板２とから構成されており、前記アパーチャ１は、カメラ本体、或いは離れた状態のフィルムゲート内部に設けられており、上下両側に水平方向の溝部１２を有しており、その位置はフィルムの上下縁部に対応しており、前記圧板２は、カメラの裏蓋上に設けられており、上下両側には前記溝部１２に対応しており、且つその間を押圧できる圧板レール２１を有しており、フィルムの上下端部を圧板レール２１によって溝部１２に押圧して僅かに弧状にし、露光部１１のフィルムの中央部分を平らにカメラの焦点距離の基準面上に緊着させる。【選択図】  図１
0003108233.tif 000002
【実用新案登録請求の範囲】
【請求項１】
アパーチャと、圧板とからなるカメラのフィルムゲートの構造において、
前記アパーチャは、カメラ本体、或いは離れた状態のフィルムゲート内部に設けられており、上下両側に水平方向の溝部を有しており、その位置はフィルムの上下縁部に対応しており、
前記圧板は、カメラの裏蓋上、或いはフィルムゲート底部に設けられており、上下両側には前記溝部に対応しており、且つその間を押圧できる圧板レール、或いは斜めに跳ね上がっている突起を有しており、
フィルムの上下端部を圧板レール、或いは斜めに跳ね上がっている突起によって溝部に押圧して僅かに弧状にし、露光部のフィルムの中央部分を平らにカメラの焦点距離の基準面上に緊着させることを特徴とするカメラのフィルムゲートの構造。
【請求項２】
前記溝部は、別に設けられている内レールによって形成することができることを特徴とする請求項１に記載のカメラのフィルムゲートの構造。
【請求項３】
前記カメラはプロ用、携帯型であることを特徴とする請求項１に記載のカメラのフィルムゲートの構造。
【請求項４】
前記カメラはフィルムを有するカメラであることを特徴とする請求項１のカメラのフィルムゲートの構造。
【考案の詳細な説明】
【技術分野】
【０００１】
本考案はカメラのフィルムゲートの構造に係り、特にフィルムの上下端部を溝部に押圧して僅かに弧状にし、露光部のフィルムの中央部分を平らにカメラの焦点距離の基準面上に緊着させるものであり、ピントと露光現像位置を正確に重ね合わせ、撮影された画像をピンボケさせないカメラのフィルムゲートの構造に関わる。
【背景技術】
【０００２】
カメラは長い歴史を有する製品であり、そのメーカーも多く、品質もそれぞれ異なるが、基本的な作動原理として、フィルムを露光現像する原理が使用されており、今日においてはデジタルカメラが普及してきているが、それでもやはり伝統的なフィルムを用いたカメラが存在する余地も十分にある。
【０００３】
公知構造のカメラである所謂バカチョンカメラにしても、カメラ屋で使用されるプロ用のカメラにしても、フィルムを設置する装置はフィルムゲートと呼ばれ、フィルムを露光現像する時、正確に平らに焦点距離の位置に置く必要があり、そうすることによってはっきりとした写真を写すことができ、現像処理後の写真に問題が発生しない。
【０００４】
公知構造の携帯型のカメラにおいては、一眼レフのカメラにしても、二眼レフのカメラにしても、望遠レンズや広角レンズを取り付けた時、ファインダーにおいてはピントがはっきりしていても、現像処理後の写真はピントが目標物の前後数十センチずれているという現象が発生することがあり、この現象は３００ミリ以上のレンズを取り付けた場合さらに顕著であり、最も重要である顔や目がぼやけてしまい、逆に後頭部や胸部分がはっきり写ってしまっており、その原因としては、１３５カメラ内のフィルムが長時間円筒形のまま放置されていて、再び真っ直ぐに引き伸ばされた時、僅かに凹凸が不規則に弧状に起伏してしまい、僅か２３センチの長さにおける起伏は、２〜３０メートルの撮影距離に相対させた場合非常に大きな起伏であり、また、俯瞰撮影の場合、フィルム中央が下に数ミリ垂れ下がってしまい、フィルム中央を平らにレンズの焦点距離の平面上に正確に定位することができず、改善の必要がある。
【考案の開示】
【考案が解決しようとする課題】
【０００５】
本考案の目的は、フィルムゲート内のフィルム両端を僅かに弧状にし、中央部分を平らに正確にカメラの焦点距離の基準面上に緊着させることができるカメラのフィルムゲートの構造を提供することであり、特にフィルムの上下両端への押圧と、さらにカメラ内に元々設けられているフィルム巻取り機が加わって、露光現像させたいフィルムの中央部分を平らな状態でカメラの焦点距離の基準面上に緊着させることができ、ここでのカメラとは携帯型の１３５カメラやその他の開閉式のフィルムを装着するタイプのカメラである。
【課題を解決するための手段】
【０００６】
請求項１の考案は、アパーチャと、圧板とからなるカメラのフィルムゲートの構造において、
前記アパーチャは、カメラ本体、或いは離れた状態のフィルムゲート内部に設けられており、上下両側に水平方向の溝部を有しており、その位置はフィルムの上下縁部に対応しており、
前記圧板は、カメラの裏蓋上、或いはフィルムゲート底部に設けられており、上下両側には前記溝部に対応しており、且つその間を押圧できる圧板レール、或いは斜めに跳ね上がっている突起を有しており、
フィルムの上下端部を圧板レール、或いは斜めに跳ね上がっている突起によって溝部に押圧して僅かに弧状にし、露光部のフィルムの中央部分を平らにカメラの焦点距離の基準面上に緊着させることを特徴とするカメラのフィルムゲートの構造である。
【０００７】
請求項２の考案は、前記溝部は、別に設けられている内レールによって形成することができることを特徴とする請求項１に記載のカメラのフィルムゲートの構造である。
【０００８】
請求項３の考案は、前記カメラはプロ用、携帯型であることを特徴とする請求項１に記載のカメラのフィルムゲートの構造である。
【０００９】
請求項４の考案は、前記カメラはフィルムを有するカメラであることを特徴とする請求項１のカメラのフィルムゲートの構造である。
【考案の効果】
【００１０】
本考案によって、フィルムが僅かに凹凸が不規則に弧状に起伏してしまい、それによって写真がぼやけてしまう現象の発生を解決できた。
【考案を実施するための最良の形態】
【００１１】
図に示すように、基本的に本考案のフィルムゲートは、アパーチャ１と圧板２とから構成されている。
【００１２】
アパーチャ１は、カメラの内部に固定されており、片側に設けられているフィルム巻取り装置が加わってフィルムの左右方向への定位と露光後の巻取りを行い、フィルムの上下端部を僅かに弧状にし、中央を平らに焦点距離の基準面上に緊着させ、そのためにアパーチャ１は平らであり、中央には露光部１１が設けられており、フィルムの定位、露光を行う。同時に、フィルムを押圧し、上下端部が僅かに弧状で、中央が平らの状態で焦点距離の基準面上に緊着させるために、上下の縁部にはそれぞれ溝部１２が設けられており、図に示すように、前記溝部１２の位置はフィルムの上下縁部に対応しており、前記溝部１２は別に設けられている内レール１３によって形成することができるがこれに限られているわけではなく、例えば、溝部１２を点状に突出した形式や、段部が突出したレール形式や、その他の上述の機能が達成できる類似の形式にすることができる。
【００１３】
圧板２はカメラの裏蓋内面の平面上に固定されており、そのサイズと位置は前述のアパーチャ１に対応しており、フィルムを押圧して僅かに弧状にするために、平らな面となっており、同時に、フィルムの上下端部の押圧により両端部を僅かに弧状にし、中央部分を平らにし、さらに露光部１１のフィルムを焦点距離の基準面上に緊着させるために、前述の溝部１２の位置に対応しており、対応して押圧を行うことができる圧板レール２１が設置されており、裏蓋を閉じた時、前記圧板レール２１はフィルムを前述の溝部において押圧でき、上下端部は僅かに弧状を呈する。
【００１４】
図２に示すように、本考案のフィルムゲートはフィルムを挟持する時、左右方向の定位に関しては、一般に元々カメラ内に設置されているフィルム巻取り装置とフィルムの上下縁部の孔への嵌入によって定位がされ、フィルムの上下端部の押圧に関しては、圧板レール２１がフィルムを溝部１２内に押圧し、このように、露光部１１のフィルムは上下端部が押圧され、上下端部は僅かに弧状の状態で、中央部分は平らな状態で焦点距離の基準面の平面上に緊着され、正確に露光現像される。
【００１５】
本考案の実施によって、フィルムゲート内のフィルム両端を僅かに弧状にし、中央部分を平らに正確にカメラの焦点距離の基準面上に緊着させることができ、フィルムが僅かに凹凸が不規則に弧状に起伏することによって写真がぼやけてしまう現象の発生を解決できた。
【００１６】
本考案において示す内容は、比較的好適な実施例の一つを示しただけであり、本考案の精神を逸脱しない局部の変更や修飾も本考案の技術範囲に含まれる。
【００１７】
以上のことから、本考案は、その目的、手段、機能のいずれに関しても公知構造の技術とは異なるものであり、新規性、実用性を有しており、実用新案の要件に符号するものである。
【図面の簡単な説明】
【００１８】
【図１】本考案の立体図である。
【図２】本考案のフィルム押圧の状態を示す断面図である。
【符号の説明】
【００１９】
１    ガイドレール
１１  露光部
１２  溝部
１３  内レール
２    圧板
２１  圧板レール      
【図１】
0003108233.tif 000003
【図２】
0003108233.tif 000004